(57)【要約】【課題】  光源部の点灯に伴う高周波ノイズの影響を受けても、異常表示しないプロジェクタを提供すること。【解決手段】  ランプ点灯検出部１７は光センサにより、放電式ランプ１からなる光源部の点灯状態を検出し、Ｉ／Ｆ部１２を介して制御部９に検出信号を送る。制御部９は、Ｉ／Ｆ部１２からの信号レベルと、あらかじめ記憶部１０に格納されている基準信号レベルとを比較し、ランプ１の点灯または非点灯を検出する。制御部９は、ランプ１の点灯を検出すると、記憶部１０に格納されている対向電極電圧の設定値を読み出し、ＤＡコンバータ１１内のレジスタ１８に設定する。【選択図】      図１
2006003607.tif 000002
【特許請求の範囲】
【請求項１】
照明光を供給する放電式の光源部と、
前記光源部の点灯状態を検出する点灯検出部と、
前記照明光を画像信号に応じて変調する光変調素子と、
前記光変調素子が動作するときの動作条件、または、前記光変調素子により生成される画像に影響を与える前記画像信号の処理条件についての所定のデータを設定するデータ設定部と、
前記データ設定部に設定された前記所定のデータに基づいて、前記光変調素子を所定の動作条件で動作させる、または、前記光変調素子に送られる前記画像信号に所定の処理条件で処理を施す、動作処理部と、
前記所定のデータを記憶する記憶部と、
前記光源部と、前記点灯検出部と、前記データ設定部と、前記動作処理部と、前記記憶部を制御する制御部と、を備え、
前記制御部は、前記点灯検出部からの検出信号により前記光源部の点灯を検出すると、前記記憶部から前記所定のデータを読み出し、前記データ設定部に設定することを特徴とするプロジェクタ。
【請求項２】
前記動作処理部は、前記光変調素子に所定の対向電極電圧を供給する信号生成部であり、前記データ設定部は、前記信号生成部内に設けられたレジスタであって、
前記記憶部は、前記所定のデータとして所定の対向電極電圧の設定値を記憶し、
前記制御部は、前記点灯検出部からの検出信号により前記光源部の点灯を検出すると、前記記憶部から前記所定の対向電極電圧の設定値を読み出し、前記信号生成部のレジスタに設定することを特徴とする請求項１記載のプロジェクタ。
【請求項３】
前記動作処理部は、前記光変調素子に送られる前記画像信号に所定の処理条件で処理を施す画像信号処理部であり、前記データ設定部は、前記画像信号処理部内に設けられたレジスタであって、
前記記憶部は、前記画像信号に施す処理条件についての所定のデータを記憶し、
前記制御部は、前記点灯検出部からの検出信号により前記光源部の点灯を検出すると、前記記憶部から前記画像信号に施す処理条件についての所定のデータを読み出し、前記画像信号処理部のレジスタに設定することを特徴とする請求項１記載のプロジェクタ。
【請求項４】
さらに、前記制御部は、前記点灯検出部からの検出信号により前記光源部の点灯を検出すると、前記画像信号処理部の初期化を行い、初期化が完了してから、前記画像信号処理部のレジスタに、前記記憶部から読み出した前記画像信号に施す処理条件についての所定のデータを設定することを特徴とする請求項３記載のプロジェクタ。
【請求項５】
制御部は、前記光源部が点灯する前においても、前記所定のデータを前記記憶部から読み出し、前記データ設定部に設定することを特徴とする請求項１〜４のいずれか１項に記載のプロジェクタ。
【請求項６】
照明光を供給する放電式の光源部と、前記照明光を画像信号に応じて変調する光変調素子と、前記光変調素子が動作するときの動作条件、または、前記光変調素子により生成される画像に影響を与える前記画像信号の処理条件についてのデータを設定するデータ設定部と、前記所定のデータを記憶する記憶部とを備えるプロジェクタの制御方法であって、前記光源部の点灯状態を検出する点灯検出工程と、前記点灯検出工程において前記光源部の点灯が検出されると、前記所定のデータを記憶部より読み出し、データ設定部に設定するデータ設定工程とを含むことを特徴とするプロジェクタの制御方法。
【発明の詳細な説明】
【技術分野】
【０００１】
本発明は、放電式ランプ等の放電式の光源部を備えたプロジェクタに関する。
【背景技術】
【０００２】
透過型液晶ライトバルブ等の光変調素子を用いて、画像を光学的に投写させて表示するプロジェクタが知られている。このようなプロジェクタでは、光変調素子として用いられる液晶ライトバルブの駆動に必要な対向電極電圧などは制御信号によって制御されるＤＡコンバータで生成される（例えば特許文献１参照）。一方、このようなプロジェクタには、例えば、高圧水銀ランプや、メタルハライドランプ及びハロゲンランプ等の放電式ランプが、光源として用いられている。これらの放電式ランプは、高輝度が得られるものの、ランプが点灯するまでに数秒から数十秒程度の時間が必要である。このため、起動時において、プロジェクタの各種初期設定を先に行ってから、ランプの点灯処理に入る。
【０００３】
図９は、従来のプロジェクタにおける、初期設定の流れを示すフローチャートである。ステップＳ３０でプロジェクタの電源スイッチをＯＮすると、ステップＳ３１では、各部及び各回路の初期化処理が行われる。ステップＳ３２では、各種初期設定において必要な所定のデータが記憶装置から読み出されて、ＤＡコンバータ等の初期設定が成される。ステップＳ３３では、それぞれ設定されたデータに沿って関係各部の調整及び画像処理が成される。ここで、初期設定の所定のデータとしては、例えば、液晶ライトバルブの対向電極電圧の設定値や、デジタル画像を液晶ライトバルブで階調表示するためのγ補正に関するパラメータ等が該当する。ステップＳ３４では、ランプの点灯処理が始まり、ステップＳ３５でランプの点灯を確認すると、ランプの点灯処理は終了し、画像の投写が始まる。
【０００４】
【特許文献１】特開２００２−２８７７１６号公報
【発明の開示】
【発明が解決しようとする課題】
【０００５】
前述の放電式ランプを点灯する際には、起動時にランプ電極間に高周波の高電圧を印加することにより絶縁破壊を起こさせて放電経路を形成することが必要である。このときの電圧は瞬間的に２０ＫＶ程度となり、これが高周波ノイズとなって周辺回路に影響を及ぼすことがある。しかしながら、前述の従来のプロジェクタにおいては、ランプの点灯前に各種初期設定が成されているため、設定されたデータが前述の高周波ノイズによって破壊されてしまう恐れがある。
【０００６】
例えば、ランプ点灯前の段階で、液晶パネル駆動部のＤＡコンバータのレジスタに液晶ライトバルブの対向電極電圧が設定されており、その後、ランプ点灯に伴う高周波ノイズによりデータが破壊されてしまった場合を考える。このプロジェクタの初期設定の画像は、グレーのベタ画像が設定されていたとする。ＤＡコンバータのレジスタデータが破壊されてしまうと、液晶ライトバルブの対向電極間に印加される電圧は、ＤＣ電圧であること以外は予測できない。例えば、対向電極間に設定値以外の電位の偏った電圧（以下、ＤＣオフセット電圧という）が印加されると、ＤＣオフセット電圧が掛かっていたときの表示の跡が残ってしまう現象、いわゆる焼き付けが発生してしまう。
【０００７】
また、本来グレーのベタ画像となるべき画像が、異なる色調の画像となってしまうことも想定される。さらには、異常電圧が印加されることにより、画素に過負荷が掛かり、液晶ライトバルブ自体の寿命が縮まることも考えられる。また、このような現象を見て、ユーザーがプロジェクタの故障を疑うことも想定される。このように、従来のプロジェクタは、ランプの点灯前のみに各種初期設定が成されているため、ランプ点灯に伴う高周波ノイズにより設定データが破壊され、これによる異常表示が生じる可能性があり問題である。
【０００８】
上記課題を解決するために、本発明では、光源部の点灯に伴う高周波ノイズの影響を受けても、異常表示しないプロジェクタを提供することを目的とする。
【課題を解決するための手段】
【０００９】
前記目的を達成するために、本発明のプロジェクタは、照明光を供給する放電式の光源部と、光源部の点灯状態を検出する点灯検出部と、照明光を画像信号に応じて変調する光変調素子と、光変調素子が動作するときの動作条件、または、光変調素子により生成される画像に影響を与える画像信号の処理条件についての所定のデータを設定するデータ設定部と、データ設定部に設定された所定のデータに基づいて、光変調素子を所定の動作条件で動作させる、または、光変調素子に送られる画像信号に所定の処理条件で処理を施す、動作処理部と、所定のデータを記憶する記憶部と、光源部と、点灯検出部と、データ設定部と、動作処理部と、記憶部を制御する制御部と、を備え、制御部は、点灯検出部からの検出信号により光源部の点灯を検出すると、記憶部から所定のデータを読み出し、データ設定部に設定することを特徴とする。
【００１０】
この構成によれば、点灯検出部は、プロジェクタの光源部の点灯状態を検出し、制御部に検出信号を送る。プロジェクタの光源部は、高輝度が得られる放電式である。制御部は、点灯検出部からの検出信号により光源部の点灯を検出すると、記憶部から所定のデータを読み出し、データ設定部に設定する。これにより、前述の光源部の点灯時に発生する高周波ノイズが収まった後に、データ設定部に光変調素子が動作するときの動作条件、または、光変調素子により生成される画像に影響を与える画像信号の処理条件についての所定のデータを設定することができる。動作処理部は、データ設定部に設定された所定のデータに基づいて、光変調素子を所定の動作条件で動作させる、または、光変調素子に送られる画像信号に所定の処理条件で処理を施すことができる。従って、光源部の点灯に伴う高周波ノイズの影響を受けても、異常表示しないプロジェクタを提供することができる。
【００１１】
また、本発明のプロジェクタの好ましい態様によれば、動作処理部は、光変調素子に所定の対向電極電圧を供給する信号生成部であり、データ設定部は、信号生成部内に設けられたレジスタであって、記憶部は、所定のデータとして所定の対向電極電圧の設定値を記憶し、制御部は、点灯検出部からの検出信号により光源部の点灯を検出すると、記憶部から所定の対向電極電圧の設定値を読み出し、信号生成部のレジスタに設定することを特徴とする。
【００１２】
この構成によれば、制御部は、点灯検出部からの検出信号により光源部の点灯を検出すると、記憶部から、所定のデータとしての対向電極電圧の設定値を読み出し、データ設定部である信号生成部のレジスタに設定する。これにより、前述の光源部の点灯時に発生する高周波ノイズが収まった後に、信号生成部のレジスタに所定の対向電極電圧を設定することができる。動作処理部である信号生成部は、レジスタに設定された対向電極電圧の設定値に沿って、対向電極電圧を生成する。従って、光源部の点灯に伴う高周波ノイズの影響を受けても、前述の焼き付け現象や色調ズレ等が発生せず、設定値通りの適切な投写画像を得ることができる。
【００１３】
また、本発明のプロジェクタの好ましい態様によれば、動作処理部は、光変調素子に送られる画像信号に所定の処理条件で処理を施す画像信号処理部であり、データ設定部は、画像信号処理部内に設けられたレジスタであって、記憶部は、画像信号に施す処理条件についての所定のデータを記憶し、制御部は、点灯検出部からの検出信号により光源部の点灯を検出すると、記憶部から画像信号に施す処理条件についての所定のデータを読み出し、画像信号処理部のレジスタに設定することを特徴とする。
【００１４】
この構成によれば、制御部は、点灯検出部からの検出信号により光源部の点灯を検出すると、記憶部から画像信号に施す処理条件についての所定のデータを読み出し、データ設定部である画像信号処理部のレジスタに設定する。これにより、前述の光源部の点灯時に発生する高周波ノイズが収まった後に、画像信号処理部のレジスタに光変調素子に適した画像信号に関する所定のデータを設定することができる。動作処理部である画像信号処理部は、レジスタに設定された画像信号に施す処理条件についての所定のデータに沿って画像信号を処理し、光変調素子へ送る。従って、光源部の点灯に伴う高周波ノイズの影響を受けても、所定のデータに沿った所望の投写画像を得ることができる。
【００１５】
また、本発明のプロジェクタの好ましい態様によれば、さらに、制御部は、点灯検出部からの検出信号により光源部の点灯を検出すると、画像信号処理部の初期化を行い、初期化が完了してから、画像信号処理部のレジスタに、記憶部から読み出した画像信号に施す処理条件についての所定のデータを設定することを特徴とする。この構成によれば、制御部は、点灯検出部からの検出信号により光源部の点灯を検出すると、所定のデータの設定に先立って、画像信号処理部の初期化を行う。これにより、画像信号処理部は、内部に設けられたレジスタも含めてハードウエアリセットが成されるので、ハードウエアリセットが成されない場合に比べて、より安定した状態で所定のデータを設定することができる。従って、光源部の点灯に伴う高周波ノイズの影響を受けても、所定のデータに沿った所望の投写画像を得ることができる。
【００１６】
また、本発明のプロジェクタの好ましい態様によれば、制御部は、光源部が点灯する前においても、所定のデータを記憶部から読み出し、データ設定部に設定することを特徴とする。この構成によれば、放電式の光源部が点灯するのに必要な数秒から数十秒の時間においても、光変調素子が動作するときの動作条件、または、光変調素子により生成される画像に影響を与える画像信号の処理条件についての所定のデータが設定されており、光変調素子には、動作処理部から適切な電圧や、画像信号が印加されている。従って、光源部が点灯する前においても、光変調素子に過電圧や異常な画像信号が印加されることがないので、光変調素子及び関係各部を保護することができる。
【００１７】
また、本発明のプロジェクタの制御方法は、照明光を供給する放電式の光源部と、照明光を画像信号に応じて変調する光変調素子と、光変調素子が動作するときの動作条件、または、光変調素子により生成される画像に影響を与える画像信号の処理条件についてのデータを設定するデータ設定部と、所定のデータを記憶する記憶部とを備え、光源部の点灯状態を検出する点灯検出工程と、点灯検出工程において光源部の点灯が検出されると、所定のデータを記憶部より読み出し、データ設定部に設定するデータ設定工程とを含むことを特徴とする。
【００１８】
この制御方法によれば、点灯検出工程では、光源部の点灯状態を検出する。データ設定工程では、点灯検出工程において光源部の点灯が検出されると、所定のデータを記憶部より読み出し、データ設定部に設定する。これにより、前述の光源部の点灯に伴う高周波ノイズの影響を受けても、所定のデータが設定されるのは、高周波ノイズの影響が大幅に低減された光源部の点灯後であるので、所定のデータが破壊される可能性は低減される。よって、光源部の点灯に伴う高周波ノイズの影響を受けても、異常表示しないプロジェクタの制御方法を提供することができる。
【発明を実施するための最良の形態】
【００１９】
以下、添付図面に基づいて、本発明の実施形態を詳細に説明する。なお、この実施形態により本発明が限定されるものではない。
（実施形態１）
【００２０】
図１は、本発明の実施形態１のプロジェクタ１００を示す概略構成図である。プロジェクタ１００は、光源部としてのランプ１が放射した光を、赤色光（以下Ｒ光という）、青色光（以下Ｂ光という）、緑色光（以下Ｇ光という）の光の３原色成分に分離し、各色光毎に光変調素子としての各色光用液晶ライトバルブ２にて画像信号に応じて変調した後、再度合成してスクリーンＳＣに投写するいわゆる液晶３板式のプロジェクタである。ここでは、まず、プロジェクタ１００の概略構成について説明し、続いて、液晶ライトバルブの表示原理及び液晶ライトバルブの諸特性について詳細に説明し、最後にプロジェクタ１００の起動ルーチンについて説明する。
【００２１】
図１において、画像信号供給装置３は、例えば、パーソナルコンピュータやビデオレコーダ等、外部から画像信号を供給する装置であり、プロジェクタ１００の図示しない外部接続端子に接続されている。画像信号供給装置３からの画像信号ＶＳは、アナログ画像信号であり、例えば、パーソナルコンピュータのコンピュータ画像を表すＲＧＢ信号や、ビデオレコーダやテレビジョン受信機からのコンポジット信号としてプロジェクタ１００に供給される。画像信号供給装置３からのアナログ画像信号ＶＳは、画像信号処理部４へ入力される。画像信号処理部４は、画像コンバータ５、γ補正回路６、色ムラ補正回路７等から構成されている。
【００２２】
画像コンバータ５は、アナログ画像信号ＶＳをＡＤ変換し、デジタル画像信号ＤＳとして出力する。この画像信号ＤＳには、タイミング信号としての垂直同期信号や水平同期信号、クロック信号が含まれている。このデジタル画像信号ＤＳの画像データは、１画素あたり２４ビットの画像データとして各画素ごとに連続して出力される。なお、１画素の画像データは、Ｒ、Ｇ、Ｂの各色毎に８ビットの色データで構成されている。γ補正回路６は、液晶ライトバルブ２への印加電圧に対する透過率の変化特性（以下、Ｖ−Ｔ特性という）を、より直線的に変化するようにデジタル画像信号ＤＳに補正を掛ける。この、補正をγ補正という。なお、γ補正の詳細については後述する。色ムラ補正回路７は、スクリーンＳＣ上に表示される画像に発生する色ムラを抑制するように、γ補正後のデジタル画像信号ＤＳγを補正し、更にＤＡ変換を施してアナログ画像信号ＤＳｃとして、液晶パネル駆動部８へ出力する。色ムラ補正の詳細については後述する。
【００２３】
液晶パネル駆動部８は、後述するＤＣバイアス回路及びゲイン調整回路（いずれも図示せず）を含んでいる。液晶パネル駆動部８は、前述の同期信号等を含むアナログ画像信号ＤＳｃに、ＤＣバイアス回路及びゲイン調整回路により、ＤＣバイアス調整及びゲイン調整を行い、アナログ画像信号ＤＳｅとして液晶ライトバルブ２へ供給する。なお、ＤＣバイアス調整及びゲイン調整については後述する。
【００２４】
制御部９はＣＰＵ等から構成され、前述の画像信号処理部４、液晶パネル駆動部８、これから説明する記憶部１０、ＤＡコンバータ（ＤＡＣ）１１及びＩ／Ｆ部１２にバスを介して接続されており、各部の制御を行う。記憶部１０は、例えばフラッシュメモリや、ＥＥＰＲＯＭ等の不揮発性のメモリから構成されており、液晶ライトバルブ２で画像を表示するために必要な各種の所定のパラメータ等を記憶している。動作処理部としてのＤＡコンバータ１１は、液晶ライトバルブ２へ供給する対向電極電圧を生成する。なお、ＤＡコンバータ１１の内部には、データ設定部としてレジスタ１８が設けられている。Ｉ／Ｆ部１２には、インジケータ部１３、操作部１４、メイン電源部１５、ランプ駆動部１６及びランプ点灯検出部１７が接続されている。Ｉ／Ｆ部１２は、制御部９と、Ｉ／Ｆ部１２に接続する各部との情報の橋渡しを行っている。よって、Ｉ／Ｆ部１２に接続する各部１３〜１７は、Ｉ／Ｆ部１２を介して制御部９により制御されている。
【００２５】
インジケータ部１３は、例えば複数のＬＥＤや、ＴＮ型の液晶パネルから構成されており、プロジェクタ１００の動作状態を示す。操作部１４は、図示しない複数の操作スイッチから構成されており、この複数のスイッチによりプロジェクタ１００の操作が可能となっている。また、図示しないリモコンによっても同様の操作が可能である。メイン電源部１５は、外部ＡＣ電源からの電力をプロジェクタ１００の各部に必要な電力様式に変換して、各部に供給している。ランプ１は、例えば、高圧水銀ランプや、メタルハライドランプ及びハロゲンランプ等の放電式ランプを用いている。ランプ駆動部１６は、点灯時にランプ１の電極間に高電圧を印加して絶縁破壊を起こさせ放電経路を形成するイグナイタ回路（図示せず）及び、ランプ点灯後にアーク放電を安定化させ、これを維持するためのバラスト回路（図示せず）とを含み、ランプ１の点灯及び消灯を行う。
【００２６】
点灯検出部としてのランプ点灯検出部１７には、例えばフォトダイオード１９のような光センサが設けられている。なお、光センサとしては、フォトトランジスタ又はＣＤＳなどを用いても良い。ランプ点灯検出部１７は、ランプ１が点灯すると、この光センサによって、ランプ１から放射される光の一部を検出し、検出信号をＩ／Ｆ部１２に送る。Ｉ／Ｆ部１２は、ランプ点灯検出部１７からの検出信号を所定の信号形式に変換して制御部９へ送る。ランプ１が放射した照明光は、色光分離光学系を含んだ照明光学系（いずれも図示せず）により照明光の分散を防ぎながらＲ，Ｇ，Ｂ各色光成分に分離され、各色光用の液晶ライトバルブ２へ入射する。各色光用液晶ライトバルブ２にて、各色光毎に画像信号に応じて変調された変調光は、Ｒ，Ｇ，Ｂ各色光を合成する合成光学系を含む投写光学系により投写光として合成され、スクリーンＳＣにフルカラー画像を投写する。
【００２７】
ここで、液晶ライトバルブ２の表示原理及び対向電極電圧について説明する。液晶ライトバルブ２は、各画素を形成する液晶に、各画素に対応する画素信号に応じた電圧を印加して、各画素に照射される光の透過率を制御することにより画像を形成する光変調素子である。図２は、液晶ライトバルブ２の任意の１画素の等価回路と、この１画素に印加する印加電圧波形を示す説明図である。図２（ａ）に示すように、１つの画素ＰＥは、互いに直交する走査線ＳＬと信号線ＤＬの交点に、スイッチング素子であるＴＦＴ（Thin Film Transistor）５０を介して設けられている。ＴＦＴ（以下、「ＴＦＴスイッチ」と呼ぶ）５０のゲート電極は走査線ＳＬに接続され、ドレイン電極は信号線ＤＬに接続され、ソース電極は画素ＰＥの画素電極５１に接続される。画素電極５１に対向する対向電極５２は、図１のＤＡコンバータ１１からの出力線である対向電極信号線ＬＣＣＯＭに接続されている。なお、対向電極５２は、通常、全画素に共通な電極として形成されるため、共通電極信号線とも呼ばれる。
【００２８】
画素電極５１と対向電極５２との間に、液晶が狭持されている。なお、この液晶は、等価的に容量（以下、「液晶容量」と呼ぶ）ＣＬＣとしてみなされる。また、液晶容量ＣＬＣと並列に蓄積容量Ｃｓが付加されている。なお、液晶容量ＣＬＣと蓄積容量Ｃｓの合成容量Ｃｐｅ（＝ＣＬＣ・Ｃｓ／（ＣＬＣ＋Ｃｓ））は「画素容量」と呼ばれる。図１の液晶パネル駆動部８より信号線ＤＬを通じて供給される画像信号ＤＳｅのうち、この画素に対応する画素信号電圧Ｖｄは、走査線ＳＬにより供給される走査線駆動信号のスイッチ電圧Ｖｇでオン／オフ制御されるＴＦＴスイッチ５０を介して、画素容量Ｃｐｅに書き込まれる。具体的には、図２（ｂ）に示すように、サンプリング期間Ｔｓにおいて、画素信号電圧Ｖｄが画素電極電圧Ｖｐとして画素容量Ｃｐｅに書き込まれ、ホールド期間Ｔｈにおいて、画素電極電圧Ｖｐが保持される。この結果、画素電極５１に供給される画素電極電圧Ｖｐと対向電極５２に供給される対向電極電圧Ｖｃｏｍとの電位差によって、画素電極５１上の液晶が動作する。なお、マトリクス状に配列された他の複数の画素も同様である。
【００２９】
ここで、液晶に長時間ＤＣ電圧を印加すると、液晶内部では、不純物イオンによる分極が発生する等による材料物性の変化が発生し、抵抗率が減少するなどの劣化現象が現れる。この劣化現象の一例としては、前述の画面の焼き付きが該当する。従来からこの問題を解決するために、各画素のＡＣ駆動が行われている。図２（ｂ）に示すように、画素電極５１に印加する画素電極電圧Ｖｐを、対向電極５２に印加する対向電極電圧Ｖｃｏｍに対して、フレーム走査周期ごとに反転し、画素電極５１と対向電極５２との間に印加される平均電圧を０とし、液晶にＤＣオフセット電圧が印加されないような駆動が行われている。このため、対向電極電圧Ｖｃｏｍは、画素電極５１と対向電極５２との間に印加される平均電圧が０となるような、所定のＤＣ電圧値が設定されている。この所定のデータである対向電極電圧Ｖｃｏｍの設定値は、設計段階で最適な値が導出され、図１の記憶部１０に格納されており、制御部９の指示によりＤＡコンバータ１１のレジスタ１８に設定される。
【００３０】
続いて、液晶ライトバルブ２の諸特性について説明する。図３（ａ）は、ツイステッドネマチック型液晶を用いたＲ，Ｇ，Ｂ各色光用液晶ライトバルブに所定の電圧（Ｖ）を印加した際の透過率（Ｔ）をグラフにしたものである。この場合、液晶ライトバルブへ印加する電圧は０Ｖ〜６Ｖまでの範囲であるが、透過率が略１００％の白レベルと、透過率が略０％の黒レベル領域における透過率は、共に印加電圧に対して飽和した状態となっている。よって、飽和している電圧範囲は、透過率に対して無効である。このため、液晶ライトバルブへ印加される電圧を、透過率を変化させるのに有効な電圧の振幅である３．８Ｖ程度に制限して、映像信号のＤＣバイアスを調整している。この調整をブライトネス調整と称する。本実施形態においては、図１の液晶パネル駆動部８内に図示しないＤＣバイアス調整回路を含んでおり、液晶パネル駆動部８にてＤＣバイアス調整を施している。
【００３１】
また、Ｒ，Ｇ，Ｂ各色光用液晶ライトバルブ２のＶ−Ｔ特性は、それぞれの色光毎に傾きが異なり、透過率が略１００％の白レベル及び、透過率が略０％の黒レベルに達する電圧にばらつきがある。このばらつきを低減するために、映像信号のゲインを調整している。この調整をゲイン調整と称する。本実施形態においては、図１の液晶パネル駆動部８内に図示しないＯＰアンプ等から構成されるゲイン調整回路を含んでおり、液晶パネル駆動部８にてゲイン調整を施している。なお、これらのＤＣバイアス調整及び、ゲイン調整に関するパラメータは、液晶ライトバルブ２の特性により決まるため、あらかじめ把握することができる。本実施形態では、これらの所定のパラメータは設計段階で最適な設定値が導出され、図１の記憶部１０に格納されており、制御部９の指示により液晶パネル駆動部８のレジスタ１８に設定される。
【００３２】
図３（ｂ）は、前述のブライトネス調整及びゲイン調整を行った状態でのＶ−Ｔ特性を示す。電圧軸は８ビットのデジタル入力信号の階調値で表している。ここで、各色光ともに、透過率が略０％の黒レベルにおいて、階調値の変化に対する透過率の変化量が少ない。従って、このままでは十分な解像度を得ることができない。十分な解像度を得るためには、１階調値あたりの透過率の変化量が均一になることが望ましく、それには、Ｖ−Ｔ特性を図３（ｂ）に示す理想γ特性に近づけることが必要である。ここで、図４（ａ）に示すγ補正特性を用いて補正を掛けることにより、図４（ｂ）に示すようなγ特性を得ることができる。この補正をγ補正という。本実施形態においては、図１の画像信号処理部４のγ補正回路で、γ補正を施している。なお、γ補正に関するパラメータは、液晶ライトバルブ２の特性により決まるため、あらかじめ把握することができる。このγ補正に関するパラメータは設計段階で最適な設定値が導出され、図１の記憶部１０に格納されており、制御部９の指示によりγ補正回路６のレジスタ１８に設定される。
【００３３】
プロジェクタの投写画面は、数センチメートル四方の液晶ライトバルブからの投写光を数十インチにまで拡大している。このため、例えば、照明光のわずかな色ムラや、液晶ライトバルブの特性、または一部の画素不良などによるわずかな透過不良が拡大されて投写画像に色ムラを発生させてしまう。このような色ムラを補正する手段としては、プロジェクタ１００を組み立てた後に、一定輝度レベルの画像信号、例えばグレーのベタ画像を入力してスクリーンに画像を投写し、色ムラの発生状況を確認して必要な補正を掛ける方法がある。図５は、この色ムラ補正手段の説明図であり、スクリーンＳＣは、格子状に９ブロックａ〜ｉに分割されている。色ムラ補正に関するパラメータは、例えば、スクリーンＳＣに投写された一定輝度レベルの画像信号での投写画像の９ブロックａ〜ｉ毎の輝度を、輝度計にて測定し、その測定値と基準値との差により求めることができる。また、輝度計の変わりにビデオカメラ等の撮像手段で撮影して、輝度を測定することとしても良い。この色ムラ補正に関するパラメータは、図１の記憶部１０に格納されており、制御部９の指示により色ムラ補正回路７のレジスタ１８に設定される。
【００３４】
続いて、プロジェクタ１００の起動ルーチンについて説明する。図６は、プロジェクタ１００の起動ルーチンを示すフローチャートである。以下、図６と、図１を用いて説明する。プロジェクタ１００を起動するには、ステップＳ１にて、操作部１４の電源スイッチ（図示せず）をＯＮする。電源スイッチをＯＮすると、ステップＳ２にて、各部の初期化処理が行われる。初期化処理としては、まず、メイン電源部１５が立ち上がり各部に電源を供給する。次いで、各部にハードウエアリセットが掛けられる。このとき、画像信号処理部４の画像コンバータ５、γ補正回路６、色ムラ補正回路７もハードウエアリセットが成され、合わせて、それそれのレジスタ１８の設定内容もクリアされる。また、同様に液晶パネル駆動部８及びＤＡコンバータ１１についても、ハードウエアリセットと、それそれのレジスタ１８の設定内容のクリアが行われる。なお、フローチャートには記載していないが、ステップＳ１の電源スイッチＯＮにより、インジケータ部１３は、例えば起動状態を示すＬＥＤを点灯させる。
【００３５】
続いてステップＳ３にて、液晶ライトバルブ２の諸特性に関する所定のデータとしての設定値やパラメータを設定する。制御部９は、記憶部１０に格納されている対向電極電圧の設定値を読み出し、ＤＡコンバータ１１のレジスタ１８に設定する。制御部９は、同様の作業を繰り返すことにより、γ補正回路６のレジスタ１８には、γ補正に関するパラメータを、色ムラ補正回路７のレジスタ１８には、色ムラ補正に関するパラメータを、液晶パネル駆動部８のレジスタ１８には、ＤＣバイアス調整に関するパラメータと、ゲイン調整に関するパラメータとを、それぞれ設定する。また、本実施形態においては、起動時の初期画面表示に関するデータも、記憶部１０に格納されており、制御部９により、画像コンバータ５のレジスト１８に設定される構成となっている。ここでは、例えば、初期画面データとしてグレーのベタ画像を設定する。
【００３６】
ステップＳ４では、ステップＳ３にて設定された設定値やパラメータに沿って、それぞれの回路調整、画像処理等が行われる。ＤＡコンバータ１１においては、レジスタ１８内の設定値に沿った対向電極電圧が生成されて、液晶ライトバルブ２に供給される。画像コンバータ５では、レジスタ１８内のパラメータに沿ってグレーのベタ画像を生成し、デジタル画像信号ＤＳとしてγ補正回路６に送る。γ補正回路６は、デジタル画像信号ＤＳにレジスタ１８内のパラメータに沿ったγ補正を施し、デジタル画像信号ＤＳγとして色ムラ補正回路７に送る。色ムラ補正回路７は、デジタル画像信号ＤＳγにレジスタ１８内のパラメータに沿った色ムラ補正を行い、さらにＤＡ変換を施してアナログ画像信号ＤＳｃとして液晶駆動部８に送る。液晶駆動部８は、内部のＤＣバイアス調整回路及びゲイン調整回路（いずれも図示せず）により、アナログ画像信号ＤＳｃにレジスタ１８内のパラメータに沿ったＤＣバイアス調整及びゲイン調整を施し、アナログ画像信号ＤＳｅとして液晶ライトバルブ２へ供給する。
【００３７】
ステップＳ４が完了した時点で、ランプ１は点灯する前なので画像の投写表示は成されていないが、液晶ライトバルブ２は、初期設定画像であるグレーのベタ画像を表示している。ステップＳ５では、ランプＯＮ動作を行う。制御部９は、Ｉ／Ｆ部１２を介して、ランプ駆動部１６にランプＯＮ信号を送る。ランプＯＮ信号を受信したランプ駆動部１６のイグナイタ回路（図示せず）は、ランプ１の電極間に高電圧を印加して、絶縁破壊による放電経路の形成を行う。このときの電圧は瞬間的に２０ＫＶ程度となり、これが高周波ノイズとなって周辺各部に影響を及ぼすことがある。例えば、ＤＡコンバータ１１のレジスタ１８に設定されている対向電極電圧に関するパラメータを破壊してしまう可能性がある。ランプ駆動部１６のイグナイタ回路（図示せず）による高電圧の印加により、ランプ１の電極間に絶縁破壊による放電経路の形成が成されると、ランプ１は点灯する。ランプ駆動部１６は、ランプ１の点灯、非点灯に拘わらず、一定時間が経過するとイグナイタ回路の動作を停止し、ランプ点灯後のアーク放電を安定化させるバラスト回路（図示せず）を起動する。
【００３８】
ステップＳ６では、ステップＳ５でのランプＯＮ動作によりランプ１が点灯したかどうか検出する。ランプ点灯検出部１７のフォトダイオード１９の受光部は、ランプ１が点灯した際に、ランプ１が放射する光の一部が入射するような位置に設置されている。フォトダイオード１９は、ランプ１が点灯すると受光部に入射した光量に比例した逆電流を流す。ランプ点灯検出部１７は、この逆電流量に比例した所定の検出信号をＩ／Ｆ部１２に送る。Ｉ／Ｆ部１２は、ランプ点灯検出部１７からの検出信号をＡ／Ｄ変換等により所定の信号形式に変換して制御部９へ送る。また、ランプ１が非点灯のときも、Ｉ／Ｆ部１２は、ランプ点灯検出部１７からの検出信号をＡ／Ｄ変換等により所定の信号形式に変換して制御部９へ送る。制御部９は、Ｉ／Ｆ部１２からの信号レベルと、あらかじめ記憶部１０に格納されている基準信号レベルとを比較し、ランプ１の点灯または非点灯を検出する。ここで、制御部９が、ランプ１の点灯を検出した場合は、ステップＳ７へ進む。非点灯を検出した場合は、ステップＳ９のランプ非点灯処理ルーチンへ進む。なお、ステップＳ９のランプ非点灯処理ルーチンについては後述する。
【００３９】
ランプ１の点灯を検出し、ステップＳ７へ進んだ場合、再度ここで、液晶ライトバルブ２の諸特性に関する所定のデータを設定する。本実施形態では、対向電極電圧の再設定を行う。なお、ランプ１が点灯している段階においては、前述した通り、ランプ駆動部１６のバラスト回路（図示せず）が起動している。よって、ランプ１が消灯して、再度、点灯動作が成されない限りは、ランプ駆動部１６のイグナイタ回路（図示せず）による高電圧印可にともなう、高周波ノイズの影響を受ける心配はない。制御部９は、記憶部１０に格納されている所定のデータとしての対向電極電圧の設定値を読み出し、再度、動作処理部としてのＤＡコンバータ１１のレジスタ１８からなるデータ設定部に設定する。
【００４０】
ステップＳ８では、ステップＳ７にて設定されたパラメータに沿って、回路調整が行われる。ＤＡコンバータ１１は、レジスタ１８内の設定値に沿った対向間電圧Ｖｃｏｍを生成し、液晶ライトバルブ２に供給する。ステップＳ８が終了した時点で、起動ルーチンは完了し、初期設定画像であるグレーのベタ画像がスクリーンＳＣに投写された待ち受け状態となっている。この段階で、画像信号供給部から画像信号ＶＳが入力されると、画像信号は、画像信号処理部４及び液晶パネル駆動部８にて前述したような画像信号処理が施され画像信号ＤＳｅとして、液晶ライトバルブ２に供給される。ランプ１からの照明光は、液晶ライトバルブ２にて画像信号ＤＳｅにより変調され、投写光学系（図示せず）にて合成及び投写されて、スクリーンＳＣにフルカラー画像を映し出す。
【００４１】
ここで、ステップＳ９のランプ非点灯処理ルーチンについて説明する。制御部９が、ランプ１が非点灯であると判断した場合、図７のランプ非点灯処理ルーチンへ進む。ここからは、図６、図１に図７を加えて説明する。まず、ステップＳ２０では、制御部９内のカウンタにてランプ１が連続して非点灯となった回数をカウントする。ランプ１が連続して非点灯となった回数が、あらかじめ記憶部１０に設定してある基準回数以上になった場合は、ステップＳ２４の異常処理ルーチンへ進む。本実施形態においては、基準回数を３回に設定している。よって、ランプ１が３回連続して非点灯となった場合、異常処理ルーチンに進む。ステップＳ２４の異常処理ルーチンでは、例えば、インジケータ部１３の異常警告ＬＥＤを点滅させたり、修理依頼ＬＥＤを点滅させ、使用者に異常を伝える。ランプ１の非点灯の検出回数が３回未満の場合は、ステップＳ２２のランプＯＦＦ動作へ進む。
【００４２】
ランプ駆動部１６は、前述した通り、ランプの点灯、非点灯に拘わらず一定時間が経過するとイグナイタ回路の動作を停止し、バラスト回路（いずれも図示せず）を起動する。よって、ここで、一旦、ランプ駆動部１６の動作を終了しておく必要がある。制御部９は、Ｉ／Ｆ部１２を介して、ランプ駆動部１６にリセット信号を送る。ステップＳ２２では、再度、ランプＯＮ動作を行う。ランプＯＮ動作は、前述のステップＳ５での説明と同一である。ステップＳ２３では、再度、ランプ１が点灯したかどうかを検出する。ランプ点灯検出についても、前述のステップＳ６での説明と同一である。ステップＳ２３で、制御部９がランプの点灯を判断した場合は、ランプ非点灯処理ルーチンを抜け、ステップＳ１０から起動ルーチンのステップＳ７の所定のパラメータ設定へ戻る。ステップＳ２３で、制御部９がランプの非点灯を判断した場合は、再度、ステップＳ２０の非点灯の検出回数ルーチンへ戻る。
【００４３】
上述した通り、実施形態１によれば以下の効果が得られる。
（１）点灯検出部としてのランプ点灯検出部１７は、フォトダイオード１９により、放電式ランプ１からなる光源部の点灯状態を検出し、Ｉ／Ｆ部１２を介して制御部９に検出信号を送る。制御部９は、Ｉ／Ｆ部１２からの信号レベルと、あらかじめ記憶部１０に格納されている基準信号レベルとを比較し、ランプ１の点灯または非点灯を検出する。制御部９は、ランプ１の点灯を検出すると、記憶部１０に格納されている所定のデータとしての対向電極電圧の設定値を読み出し、動作処理部としてのＤＡコンバータ１１内の、データ設定部としてのレジスタ１８に設定する。これにより、前述のランプ点灯時に発生する高周波ノイズが収まった後に、ＤＡコンバータ１１に対向電極電圧を設定することができる。よって、液晶ライトバルブ２に異常なＤＣオフセット電圧が印加されることが防げるので前述の焼き付けは発生しない。よって、焼き付けによる、液晶ライトバルブ２の劣化も防ぐことができる。さらに、ランプ１点灯後は、適切な対向電極電圧が印加されるので初期設定画像の色調異常も起こらない。従って、光源部としてのランプ１の点灯に伴う高周波ノイズの影響を受けても、異常表示しないプロジェクタを提供することができる。
【００４４】
（２）図６のステップＳ３にて、光変調素子としての液晶ライトバルブ２の諸特性に関する所定のデータとしての設定値やパラメータは、光源部としてのランプ１が点灯する前にも設定されている。制御部９は、記憶部１０に格納されている対向電極電圧、γ補正、色ムラ補正、ＤＣバイアス調整、ゲイン調整及び初期画面表示に関する所定のデータとしての設定値やパラメータ読み出し、各データ設定部としての各レジスタ１８に設定する。前述した通り、液晶ライトバルブ２はランプ１が点灯する前においても、画像の投写表示は成されないが、初期設定画像を表示している。これにより、放電式ランプ１が点灯するのに必要な数秒から数十秒の時間においても、液晶ライトバルブ２が動作するときの動作条件、または、液晶ライトバルブ２により生成される画像に影響を与える画像信号の処理条件についての所定のデータが設定されており、液晶ライトバルブ２には、動作処理部としてのＤＡコンバータ１１及び画像信号処理部４から適切な電圧や、画像信号が印加されている。従って、光源部としてのランプ１が点灯する前においても、液晶ライトバルブ２に過電圧や異常な画像信号が印加されることがないので、光変調素子としての液晶ライトバルブ２及び関係各部を保護することができる。
【００４５】
（実施形態２）
続いて、本発明の第２の実施形態について図面に基づいて説明する。図８は実施形態２のプロジェクタ１１０（図示せず）の起動フローチャートである。なお、実施形態１のプロジェクタ１００と同一の部分には同一の符号を付し重複する説明は省略する。プロジェクタ１１０（図示せず）の概略ブロック構成及び各部の作用説明は、プロジェクタ１００と同一である。ここでは、図８の起動フローチャートを中心に、プロジェクタ１００との相違点についてのみ、図１、図６、図７を用いて説明する。
【００４６】
プロジェクタ１１０（図示せず）の起動の流れについて、ステップＳ１からステップＳ６までについては、プロジェクタ１００の起動時と同様である。ステップＳ１にて、電源ＯＮ処理を行い、ステップＳ２にて、各部の初期化処理が行われる。続いてステップＳ３にて、液晶ライトバルブ２の諸特性に関する所定のデータとしての設定値やパラメータを設定する。ステップＳ４では、ステップＳ３にて設定された設定値やパラメータに沿って、それぞれの回路調整、画像処理等が行われる。ステップＳ５では、ランプＯＮ動作を行う。ステップＳ６では、ステップＳ５でのランプＯＮ動作によりランプ１が点灯したかどうか検出する。また、ステップＳ６で、ランプ１の非点灯を検出した場合の図７で示すランプ非点灯処理ルーチンへの分岐及び、ステップＳ１０のランプ非点灯処理ルーチンからの帰還についても、第１の実施形態におけるプロジェクタ１００と同様である。
【００４７】
ランプ１の点灯を検出し、ステップＳ７へ進んだ場合、再度ここで、液晶ライトバルブ２の諸特性に関する所定のデータとしての設定値やパラメータを、動作処理部としてのＤＡコンバータ１１及び画像信号処理部４に設定する。本実施形態では、対向電極電圧、γ補正、色ムラ補正、ＤＣバイアス調整、ゲイン調整及び初期画面表示に関する設定値及びパラメータを各データ設定部としての各レジスタ１８に再設定する。制御部９は、記憶部１０に格納されている対向電極電圧の設定値を読み出し、ＤＡコンバータ１１のレジスタ１８に設定する。制御部９は、同様の作業を繰り返すことにより、γ補正回路６のレジスタ１８には、γ補正に関するパラメータを、色ムラ補正回路７のレジスタ１８には、色ムラ補正に関するパラメータを、液晶パネル駆動部８のレジスタ１８には、ＤＣバイアス調整に関するパラメータと、ゲイン調整に関するパラメータとを、画像コンバータ５のレジスト１８には、初期画面表示に関するデータをそれぞれ設定する。
【００４８】
ステップＳ８では、ステップＳ７にて設定された設定値及びパラメータに沿って、それぞれの回路調整、画像処理等が行われる。ＤＡコンバータ１１においては、レジスタ１８内の設定値に沿った対向電極電圧が生成されて、液晶ライトバルブ２に供給される。画像コンバータ５では、レジスタ１８内のパラメータに沿って、例えばグレーのベタ画像を生成し、デジタル画像信号ＤＳとしてγ補正回路６に送る。γ補正回路６は、デジタル画像信号ＤＳにレジスタ１８内のパラメータに沿ったγ補正を施し、デジタル画像信号ＤＳγとして色ムラ補正回路７に送る。色ムラ補正回路７は、デジタル画像信号ＤＳγにレジスタ１８内のパラメータに沿った色ムラ補正し、更にＤＡ変換を施してアナログ画像信号ＤＳｃとして液晶駆動部８に送る。液晶駆動部８は、内部のＤＣバイアス調整回路及びゲイン調整回路（いずれも図示せず）により、アナログ画像信号ＤＳｃにレジスタ１８内のパラメータに沿ったＤＣバイアス調整及びゲイン調整を施し、アナログ画像信号ＤＳｅとして液晶ライトバルブ２へ供給する。
【００４９】
ステップＳ８が終了した時点で、起動ルーチンは完了し、初期設定画像であるグレーのベタ画像がスクリーンＳＣに投写された待ち受け状態となっている。この段階で、画像信号供給部３から画像信号ＶＳが入力されると、画像信号は、画像信号処理部４及び液晶パネル駆動部８にて前述したような画像信号処理が施され画像信号ＤＳｅとして、液晶ライトバルブ２に供給される。ランプ１からの照明光は、液晶ライトバルブ２にて画像信号ＤＳｅにより変調され、投写光学系（図示せず）にて合成及び投写されて、スクリーンＳＣにフルカラー画像を映し出す。
【００５０】
上述した通り、実施形態２の構成によれば実施形態１の効果に加えて以下の効果が得られる。
【００５１】
（１）点灯検出部としてのランプ点灯検出部１７は、フォトダイオード１９により、放電式ランプ１からなる光源部の点灯状態を検出し、Ｉ／Ｆ部１２を介して制御部９に検出信号を送る。制御部９は、Ｉ／Ｆ部１２からの信号レベルと、あらかじめ記憶部１０に格納されている基準信号レベルとを比較し、ランプ１の点灯または非点灯を検出する。制御部９は、ランプ１の点灯を検出すると、記憶部１０に格納されている所定のデータとしての設定値やパラメータを読み出し、動作処理部としてのＤＡコンバータ１１及び画像信号処理部４の各レジスタ１８からなるデータ設定部に再設定する。これにより、前述のランプ１の点灯時に発生する高周波ノイズが収まった後に、動作処理部としての画像信号処理部４の各レジスタ１８に液晶ライトバルブ２に適した画像信号に関する所定のデータを設定することができる。画像信号処理部４は、各レジスタ１８に設定された画像信号に施す処理条件についての所定のデータに沿って画像信号を処理する。従って、光源部としてのランプ１の点灯に伴う高周波ノイズの影響を受けても、所定のデータに沿った所望の投写画像を得ることができる。
【００５２】
なお、本発明は上述した実施形態に限定されず、上述した実施形態に種々の変更や改良などを加えることが可能である。変形例を以下に述べる。
【００５３】
（変形例１）前記実施形態２において、プロジェクタ１１０（図示せず）は、ランプ１の点灯を検出すると、所定のデータの設定に先立って、動作処理部としての画像信号処理部４の初期化を行うこととしても良い。図１と図８を用いて説明する。制御部９は、ステップＳ６にて、ランプ点灯検出部１７からの検出信号によりランプ１の点灯を検出すると、画像信号処理部４の初期化を行い、初期化が完了してから、ステップＳ７にて、画像信号処理部４に記憶部１０から読み出した所定のデータとしての設定値やパラメータを設定する。この構成によれば、制御部９は、ランプ点灯検出部１７からの検出信号によりランプ１の点灯を検出すると、所定のデータの設定に先立って、画像信号処理部４の画像コンバータ５、γ補正回路６、色ムラ補正回路７のハードウエアリセット及び、それそれのレジスタ１８の設定内容をクリアする。これにより、画像信号処理部４はハードウエアリセットが成されるので、ハードウエアリセットが成されない場合に比べて、より安定した状態で所定のデータを設定することができる。従って、光源部としてのランプ１の点灯に伴う高周波ノイズの影響を受けても、所定のデータに沿った所望の投写画像を得ることができる。
【００５４】
（変形例２）前記各実施形態のプロジェクタにおいて、起動時に限らずランプ１の点灯を検出したときには、その都度、所定のパラメータを読み出し、各データ設定部に再設定することとしても良い。前述したとおり、現在のプロジェクタは起動時にランプが点灯した後は、投写が終了し電源をオフするまでは点灯を継続するものが多いが、例えば、消費電力削減のため、動作途上で、ランプのみ消灯する仕様も想定できる。このようなプロジェクタにおいては、起動時に限らずランプ１の点灯を検出したときには、その都度、所定のデータを読み出し、各データ設定部に再設定することにより、ランプの点灯の都度、発生する前述の高周波ノイズの影響を低減することができる。従って、光源部としてのランプ１の点灯に伴う高周波ノイズの影響を受けても、異常表示しないプロジェクタを提供することができる。
【００５５】
（変形例３）前記各実施形態の各部の構成及び起動フローチャート等による、光源部としてのランプ１の点灯に伴う高周波ノイズの影響を低減させる技術は、プロジェクタに限定されるものではない。光源部に、点灯の際に高電圧の印加が必要な放電式のランプを用いた機器であれば適用が可能である。例えば、放電式のランプを光源として、Ｒ光、Ｇ光、Ｂ光用の３つの光変調素子と、プロジェクタとほぼ同様な光学系とを備え、透過型スクリーンに背面から投写画像を投写するリアプロジェクタに適用しても良い。これにより、放電式ランプの点灯に伴う高周波ノイズの影響を受けても、異常表示しないリアプロジェクタが提供できる。更に、上記各実施形態のプロジェクタの空間光変調部は、透過型の液晶ライトバルブを用いる構成としたが、これに限定するものではない。例えば、反射型液晶表示装置や、ティルトミラーデバイスを用いる構成としても良い。
【００５６】
前記各実施形態および各変形例から把握できる請求項以外の技術的思想について、以下にその効果とともに記載する。
【００５７】
照明光を供給する放電式の光源部と、前記光源部の点灯状態を検出する点灯検出部と、前記照明光を画像信号に応じて変調する光変調素子と、前記光変調素子が動作するときの動作条件、または、前記光変調素子により生成される画像に影響を与える前記画像信号の処理条件についての所定のデータを設定するデータ設定部と、前記データ設定部に設定された前記所定のデータに基づいて、前記光変調素子を所定の動作条件で動作させる、または、前記光変調素子に送られる前記画像信号に所定の処理条件で処理を施す、動作処理部と、前記所定のデータを記憶する記憶部と、前記光源部と、前記点灯検出部と、前記データ設定部と、前記動作処理部と、前記記憶部を制御する制御部と、を備え、前記制御部は、前記点灯検出部からの検出信号により前記光源部の点灯を検出すると、前記記憶部から前記所定のデータを読み出し、前記データ設定部に設定することを特徴とする画像表示装置。
【００５８】
これによれば、点灯検出部は、画像表示装置の光源部の点灯状態を検出し、制御部に検出信号を送る。制御部は、点灯検出部からの検出信号により光源部の点灯を検出すると、記憶部から所定のデータを読み出し、データ設定部に設定する。これにより、前述の光源部の点灯時に発生する高周波ノイズが収まった後に、データ設定部に光変調素子が動作するときの動作条件、または、光変調素子により生成される画像に影響を与える画像信号の処理条件についての所定のデータを設定することができる。動作処理部は、データ設定部に設定された所定のデータに基づいて、光変調素子を所定の動作条件で動作させる、または、光変調素子に送られる画像信号に所定の処理条件で処理を施すことができる。従って、光源部の点灯に伴う高周波ノイズの影響を受けても、異常表示しない画像表示装置を提供することができる。
【図面の簡単な説明】
【００５９】
【図１】実施形態１のプロジェクタの概略構成図。
【図２】液晶ライトバルブの任意の１画素の説明図。
【図３】液晶ライトバルブのＶ−Ｔ特性図。
【図４】液晶ライトバルブのγ補正についての説明図。
【図５】プロジェクタの色ムラ補正についての説明図。
【図６】プロジェクタの起動フローチャート。
【図７】プロジェクタのランプ非点灯処理ルーチン。
【図８】実施形態２のプロジェクタの起動フローチャート。
【図９】従来のプロジェクタの起動フローチャート。
【符号の説明】
【００６０】
１…光源部としてのランプ、２…光変調素子としての液晶ライトバルブ、３…画像信号供給装置、４…動作処理部としての画像信号処理部、５…画像コンバータ、６…γ補正回路、７…色ムラ補正回路、８…液晶パネル駆動部、９…制御部、１０…記憶部、１１…動作処理部としてのＤＡコンバータ、１２…Ｉ／Ｆ部、１３…インジケータ部、１４…操作部、１５…メイン電源部、１６…ランプ駆動部、１７…点灯検出部としてのランプ点灯検出部、１８…データ設定部としてのレジスタ、１９…フォトダイオード、１００…プロジェクタ、ＳＣ…スクリーン。
【図１】
2006003607.tif 000003
【図２】
2006003607.tif 000004
【図３】
2006003607.tif 000005
【図４】
2006003607.tif 000006
【図５】
2006003607.tif 000007
【図６】
2006003607.tif 000008
【図７】
2006003607.tif 000009
【図８】
2006003607.tif 000010
【図９】
2006003607.tif 000011